(57)【要約】      （修正有）【課題】グラフィック画面にて現在の設備状況を確認しながら、機器の制御状況などさらに詳細な情報を即座に確認することができる施設監視装置の提供する。【解決手段】監視対象となる設備機器の状態情報をあらかじめ決められた周期で収集する設備データ収集手段１と、前記設備データ収集手段で収集した設備データを収集時刻とともに記録する設備データ記憶手段２と、表示されたメニューのなかからオペレータが所望のグラフィック画面を選択し表示するグラフィック画面表示手段３と、所望のグラフが選択されると所定のフォーマットに従い、グラフ表示するグラフ表示手段８とを備えた。【選択図】図１
2014085837.tif 000002
【特許請求の範囲】
【請求項１】
施設に設置された設備機器情報を監視管理する施設監視装置であって、監視対象となる設備機器の状態情報をあらかじめ決められた周期で収集する設備データ収集手段と、前記設備データ収集手段で収集した設備データを収集時刻とともに記録する設備データ記憶手段と、表示されたメニューのなかからオペレータが所望のグラフィック画面を選択し、選択されたグラフィック画面を表示するグラフィック画面表示手段と、あらかじめ定義された監視対象となる設備機器の状態情報について記憶されている設備データを読み出しグラフデータを生成するグラフ生成手段と、表示されているグラフィック画面上のリンクを操作するリンク選択手段と、前記リンクのワードを備えるグラフを検索するグラフ検索手段と、前記グラフ検索手段により検索されたグラフ一覧を別ウインドウに表示するグラフ一覧表示手段と、前記グラフ一覧表示手段により表示された一覧のなかから、所望のグラフが選択されると所定のフォーマットに従い、グラフ表示するグラフ表示手段とを備えたことを特徴とする施設監視装置。
【請求項２】
施設に設置された設備機器情報を監視管理する施設監視方法であって、監視対象となる設備機器の状態情報をあらかじめ決められた周期で収集する設備データ収集ステップと、前記設備データ収集ステップで収集した設備データを収集した時刻とともにメモリに記録する設備データ記憶ステップと、あらかじめ定義された監視対象となる設備機器の状態情報についてメモリに記憶されている設備データを読み出しグラフデータを生成するグラフ生成ステップと、画面に表示されたメニューのなかからオペレータが選択した所望のグラフィック画面を表示するグラフィック画面表示ステップと、表示されているグラフィック画面上のリンクを操作するリンク選択ステップと、前記リンクのワードを備えるグラフを検索するグラフ検索ステップと、前記グラフ検索ステップにより検索されたグラフ一覧を別ウインドウに表示するグラフ一覧表示ステップと、前記グラフ一覧表示ステップにより表示された一覧のなかから、所望のグラフを選択すると所定のフォーマットに従い、グラフ表示するグラフ表示ステップとを備えたことを特徴とする施設監視方法。
【発明の詳細な説明】
【技術分野】
【０００１】
この発明は、テナントビル、ホテル、学校、病院などの施設において、その施設の平面図上に設備機器の現在の状態情報や設定値、アラーム情報などを表示し、施設に設置された設備情報を監視する施設監視装置に関するものである。
【背景技術】
【０００２】
従来、たとえば施設のフロアーの平面図（グラフィック画面）を表示する際は、レイアウト等が記録されたグラフィック画面ファイルを読み出し、どの設備機器情報をどの位置にどのような大きさで表示するか等をパラメータとして記憶し、あらかじめ定義されている設備機器の状態情報や設定値を表示するようにしていた。また、平面図上の設備機器を選択して、機器のＯＮ／ＯＦＦや設定値の変更などの操作を行うようにしていた（たとえば、特許文献１参照）。
【０００３】
また、ほかの画面に移行したい場合は、リンクや付箋を定義しておき、この部分を操作することにより、施設監視装置で用意されているグラフ画面やメモ情報などを表示するようにしていた（たとえば、特許文献２参照）
【先行技術文献】
【特許文献】
【０００４】
【特許文献１】特開平９−１６０７４４号公報
【特許文献２】特開２００７−５８３８８号公報
【発明の概要】
【発明が解決しようとする課題】
【０００５】
しかしながら、グラフィック画面からほかの画面（たとえば、グラフ画面）に移行するリンクを作成するにはあらかじめエンジニアリング作業が必要となる。このため、追加変更が容易ではない。さらに単純に画面移行のリンクを増やしてしまうと、グラフィック画面自体が見づらくなる。
【０００６】
この発明は、これらの課題を解決するためになされたもので、その目的とするところは、グラフィック画面にて現在の設備状況を確認しながら、機器の制御状況などさらに詳細な情報を即座に確認することができる施設監視装置の提供するものである。
【課題を解決するための手段】
【０００７】
このような目的を達成するために、本発明に係る施設監視装置は、監視対象となる設備機器の状態情報をあらかじめ決められた周期で収集する設備データ収集手段と、前記設備データ収集手段で収集した設備データを収集時刻とともに記録する設備データ記憶手段と、表示されたメニューのなかからオペレータが所望のグラフィック画面を選択し、選択されたグラフィック画面を表示するグラフィック画面表示手段と、あらかじめ定義された監視対象となる設備機器の状態情報について記憶されている設備データを読み出しグラフデータを生成するグラフ生成手段と、表示されているグラフィック画面上のリンクを操作するリンク選択手段と、前記リンクのワードを備えるグラフを検索するグラフ検索手段と、前記グラフ検索手段により検索されたグラフ一覧を別ウインドウに表示するグラフ一覧表示手段と、前記グラフ一覧表示手段により表示された一覧のなかから、所望のグラフが選択されると所定のフォーマットに従い、グラフ表示するグラフ表示手段とを備えたことを特徴とするを備えたことを特徴とする。
【０００８】
また、本発明に係る施設監視方法は、監視対象となる設備機器の状態情報をあらかじめ決められた周期で収集する設備データ収集ステップと、前記設備データ収集ステップで収集した設備データを収集した時刻とともにメモリに記録する設備データ記憶ステップと、あらかじめ定義された監視対象となる設備機器の状態情報についてメモリに記憶されている設備データを読み出しグラフデータを生成するグラフ生成ステップと、画面に表示されたメニューのなかからオペレータが選択した所望のグラフィック画面を表示するグラフィック画面表示ステップと、表示されているグラフィック画面上のリンクを操作するリンク選択ステップと、前記リンクのワードを備えるグラフを検索するグラフ検索ステップと、前記グラフ検索ステップにより検索されたグラフ一覧を別ウインドウに表示するグラフ一覧表示ステップと、前記グラフ一覧表示ステップにより表示された一覧のなかから、所望のグラフを選択すると所定のフォーマットに従い、グラフ表示するグラフ表示ステップとを備えたことを特徴とする。
【発明の効果】
【０００９】
この発明によれば、１つのリンクで複数の画面が参照できるようになり、エンジニアリグの手間が少なくなり、作業効率が向上する。
【００１０】
また、グラフィック画面の構成がシンプルとなり、監視しやすく操作しやすい画面構成とすることができる。
【００１１】
また、すべて関連する監視ポイントを検索するので、最新の監視ポイントが反映されるようになり、漏れなく監視が可能となる。
【図面の簡単な説明】
【００１２】
【図１】実施の形態に係る施設監視装置のブロック図である。
【図２】画面上に表示されるグラフィック画面の一例である。
【図３】グラフィック画面上に別ウインドウで表示されるグラフ一覧の一例である。
【図４】グラフ一覧で選択されたグラフ表示の一例である
【図５】実施の形態に係る施設監視方法の処理フローである。
【発明を実施するための形態】
【００１３】
以下、本発明の実施の形態を図面に基づいて説明する。尚、異なる実施の形態において、同一又は同様の作用効果を奏する箇所については、同一の符号を付してその説明を省略する。
【００１４】
〔実施の形態１〕
図１はこの発明に係る施設監視装置１００の概略構成を示すブロック図である。施設監視装置１００は、ＣＰＵ、ＲＡＭ、ＲＯＭ、インタフェース、ディスプレイ、キーボード、マウス等を備えたコンピュータであり、ＣＰＵは、ＲＡＭにアクセスしながら、ＲＯＭに格納されたプログラムにしたがって動作する。
【００１５】
テナントビルなどの施設には、各種の設備（たとえば、空調、エレベータ、防犯、防災、照明など）（図示しない）が設けられている。施設監視装置１００は、テナントビル内の各種監視ポイントからの情報（ポンプのＯＮ／ＯＦＦ状況、弁の開度、空調機の運転／停止状況、温湿度、冷水送水温度、風量、送水圧など）を通信回線を介してあらかじめ決められた周期で収集する設備データ収集手段１と、収集した設備データを、記憶部に収集時刻した時刻とともに蓄積していく設備データ記憶手段２と。オペレータが、メニューから所望のグラフィック画面を選択すると、選択されたフロアーの平面図や設備機器のグラフィック画面が表示されるグラフィック画面表示手段３を備えている。
【００１６】
画面上に表示されたグラフィック画面は、あらかじめ作成された静止画（レイアウト）上に表示したい監視ポイントが定義されており、パラメータとして定義されている表示位置および表示サイズで、設備機器から取得した現在の設備情報データが表示される。監視ポイントは、アドレス、計測ポイント名称、単位等が1点1点定義されている。一方、グラフ設定データとして、グラフ種類（たとえば、時系列グラフ、分布系グラフ）、グラフ上に表示する監視ポイント、グラフ表示範囲、グラフ表示開始終了時刻、グラフコメントなどが定義されている。これらの定義されたグラフ設定データに基づいて、プログラムが動作し、グラフデータを生成手段４において、グラフデータを作成し、記憶部に記録されている。なお、グラフ設定データは、オペレータが設定変更することも可能である。
【００１７】
表示されているグラフィック画面上にはリンク情報として、あらかじめ定義されたリンク情報（ワード）が表示されている。オペレータがリンク選択手段５で、このリンク情報操作すると、リンク情報に定義されている、たとえば「ＡＨＵ―２−２」というワードが定義されているグラフ設定データを検索するグラフ検索手段６と、グラフ検索手段６で検索した関連するグラフ一覧を表示するグラフ一覧表示手段７と、表示されたグラフ一覧から所望のグラフを選択すると、グラフが表示されるグラフ表示手段８とを備えている。
【００１８】
図２は、ディスプレイ上に表示されるグラフィック画面および画面に表示されるリンク情報の一例である。ここでは、２F平面の「２階事務室空調機」が表示されているものとする。グラフィック画面上には、２階事務室空調機（ＡＨＵ−２−１、ＡＨＵ−２−２）に関連し、外気取り入れ用ファン、排気用ファンの運転状態、空調機の冷水コイルおよび温水コイルへの弁開度、給気用ファンのインバータ出力、給気温度の計測値、設定値、排気温度の計測値、設定値などの現在の設備データが表示される。
【００１９】
表示されているグラフィック画面上にはリンク情報が表示される。たとえば、「ＡＨＵ−２−２関連グラフ」とする。このリンク情報を選択すると、ＡＨＵ−２−２に関連するグラフ一覧がグラフィック画面とは別のウインドウで表示される。
【００２０】
グラフ一覧画面には、「ＡＨＵ−２−２」というワードが登録されたグラフ名を検索した結果が表示される。するたとえば、図３に示すように、「ＡＨＵ２−２  熱量グラフ」、「ＡＨＵ２―２  運転時間グラフ」、「ＡＨＵ２−２  電力グラフ」・・という記録されているＡＨＵ２−２に関連するグラフ一覧すべて表示されるものとする。
【００２１】
一覧画面で、所望のグラフを選択すると、記録されているグラフデータを読み出し、グラフ表示される。
【００２２】
図４は、選択されたグラフの画面表示の一例である。ここでは、外気温湿度の変化を確認するため、期間１および期間２の温湿度変化をトレンドグラフで表現したものである。
【００２３】
図５は、本発明の施設監視方法の処理フローを示したものである。オペレータが、画面に表示されたメニューから「グラフィック画面」を選択すると（ＳＴ１０のＹｅｓ）、選択されたグラフィック画面が表示される。グラフィック画面上には、あらかじめ表示定義された監視ポイントの情報を取得し、現在値があわせて表示される。また、定周期で監視ポイントの情報が更新されるたびに表示されている現在値も更新される（ＳＴ１１）。
【００２４】
表示されているグラフィック画面に表示されている英数字リンク情報の操作があると（ＳＴ１２のＹｅｓ）、リンクのワードが登録されたグラフ設定データを検索し、ウインドウ上にグラフ一覧が表示される（ＳＴ１３）。表示された一覧のなかから所望のグラフが選択されると（ＳＴ１４のＹｅｓ）、選択されたグラフを表示する（ＳＴ１５）。
【００２５】
本発明の実施形態を図面を参照して詳述してきたが、具体的な構成は、上述した実施の形態の構成に限られるものではなく、本発明の趣旨を逸脱しない範囲の設計の変更などがあっても本発明に含まれることは言うまでもない。
【符号の説明】
【００２６】
１００：施設管理装置
１：設備データ収集手段、２：設備データ記憶手段、３：グラフィック画面表示手段、４：グラフ生成手段、５：リンク選択手段、６：グラフ検索手段、７：グラフ一覧表示手段、８：グラフ表示手段、Ｌ：リンク（ワード）
【図１】
2014085837.tif 000003
【図２】
2014085837.tif 000004
【図３】
2014085837.tif 000005
【図４】
2014085837.tif 000006
【図５】
2014085837.tif 000007